(57)【要約】【課題】外観性を高めつつ、操作性の向上を図れ、さらにはコネクタ収容室のレイアウト上も有利な電子機器を提供する。【解決手段】コネクタ収容室４２は、筐体１２で支持された支軸４４を支点に揺動する開閉蓋４６により開閉される。支軸４４は、その長手方向の両端に位置する第１の軸部４４０２と、それら第１の軸部４４０２の間に設けられ第１の軸部４４０２の延在方向と直交する方向に離間しかつ第１の軸部４４０２と平行に延在する第２の軸部４４０４とを有している。支軸４４は、その両端の第１の軸部４４０２が軸受部５０に回転可能に装着されることで配設されている。開閉蓋４６は軸受部５４に第２の軸部４４０４が装着されることで筐体１２に配設されている。【選択図】図８
2007212487.tif 000002
【特許請求の範囲】
【請求項１】
筐体と、
前記筐体に設けられコネクタが装脱されるコネクタ収容室と、
前記筐体で支持された支軸を支点に揺動し前記コネクタ収容室を開閉する開閉蓋と、
を備える電子機器であって、
前記支軸は、その長手方向の両端に位置する第１の軸部と、それら第１の軸部の間に設けられ前記第１の軸部の延在方向と直交する方向に離間しかつ前記第１の軸部と平行に延在する第２の軸部とを有し、
前記第１の軸部は前記筐体で回転可能に支持され、
前記開閉蓋は前記第２の軸部に回転可能に結合されている、
ことを特徴とする電子機器。
【請求項２】
前記コネクタ収容室の周囲の前記筐体の箇所に外方に開放状の凹部が設けられ、
前記支軸は前記凹部内に配設され、
前記第２の軸部が前記第１の軸部よりも前記コネクタ収容室から離れかつ前記凹部の底壁に近接した第１の位置に位置した状態で、前記開閉蓋により前記コネクタ収容室を閉塞する閉塞状態と、前記開閉蓋が前記コネクタ収容室から離れる方向に開き前記コネクタ収容室を開放する第１の開放状態が形成され、
前記第２の軸部が前記凹部の底壁から最も離れた第２の位置に位置した状態で、前記開閉蓋が前記第１の開放状態よりも前記コネクタ収容室から離れる方向に大きく開いた第２の開放状態が形成される、
ことを特徴とする請求項１記載の電子機器。
【請求項３】
前記第２の開放状態で、前記開閉蓋は、前記筐体の表面上に倒れることを特徴とする請求項２記載の電子機器。
【請求項４】
前記コネクタ収容室の周囲の前記筐体の箇所に外方に開放状の凹部が設けられ、
前記支軸は前記凹部内に配設され、
前記第２の軸部が前記第１の軸部よりも前記コネクタ収容室から離れかつ前記凹部の底壁に近接した第１の位置に位置した状態で、前記開閉蓋により前記コネクタ収容室を閉塞する閉塞状態と、前記開閉蓋が前記コネクタ収容室から離れる方向に開き前記コネクタ収容室を開放する第１の開放状態が形成され、
前記開閉蓋は前記第２の軸部により支持される基部と、前記基部から最も離れた自由端とを有し、
前記自由端と反対に位置する前記基部の端部に開閉蓋側突起が設けられ、
前記閉塞状態で前記開閉蓋側突起を覆う筐体側突起が、前記凹部の底壁から起立する側壁に設けられ、
前記筐体側突起が前記凹部に臨む面には、前記第２の軸部が前記第１の位置に位置し前記開閉蓋で前記コネクタ収容室を閉塞する際に前記開閉蓋側突起に係合して前記開閉蓋を前記閉塞状態に案内する案内面が設けられている、
ことを特徴とする請求項１記載の電子機器。
【請求項５】
前記開閉蓋は前記凹部の輪郭に対応した輪郭で形成され、前記閉塞状態で、前記開閉蓋により前記コネクタ収容室と共に前記凹部が閉塞されることを特徴とする請求項４記載の電子機器。
【請求項６】
前記コネクタ収容室の周囲の前記筐体の箇所に外方に開放状の凹部が設けられ、
前記支軸は前記凹部内に配設され、
前記第２の軸部が前記第１の軸部よりも前記コネクタ収容室から離れかつ前記凹部の底壁に近接した第１の位置に位置した状態で、前記開閉蓋により前記コネクタ収容室を閉塞する閉塞状態と、前記開閉蓋が前記コネクタ収容室から離れる方向に開き前記コネクタ収容室を開放する第１の開放状態が形成され、
前記閉塞状態で前記開閉蓋の表面は前記筐体の表面と同一面上を延在する、
ことを特徴とする請求項１記載の電子機器。
【請求項７】
前記開閉蓋は前記第２の軸部により支持される基部と、前記基部から最も離れた自由端とを有し、
前記自由端に指掛け用の突起が設けられ、
前記閉塞状態で前記突起に臨む前記筐体の箇所に、前記突起に指を掛け易くするための凹部が設けられている、
ことを特徴とする請求項６記載の電子機器。
【請求項８】
前記コネクタ収容室の周囲の前記筐体の箇所に外方に開放状の凹部が設けられ、
前記支軸は前記凹部内に配設され、
前記第２の軸部が前記第１の軸部よりも前記コネクタ収容室から離れかつ前記凹部の底壁に近接した第１の位置に位置した状態で、前記開閉蓋により前記コネクタ収容室を閉塞する閉塞状態と、前記開閉蓋が前記コネクタ収容室から離れる方向に開き前記コネクタ収容室を開放する第１の開放状態が形成され、
前記閉塞状態で前記開閉蓋が前記凹部の底壁に臨む箇所に係合突起が設けられ、
前記閉塞状態で前記係合突起に係合する係合凹部が前記凹部の底壁に設けられ、
前記係合突起と前記係合凹部が係合することで前記閉塞状態が保持される、
ことを特徴とする請求項１記載の電子機器。
【発明の詳細な説明】
【技術分野】
【０００１】
本発明は電子機器に関する。
【背景技術】
【０００２】
デジタルスチルカメラなどの電子機器では、電子機器の外部に設けられた外部機器の外部コネクタが装脱されるコネクタ収容室が設けられている。そして、このコネクタ収容室は開閉蓋により開閉され、開閉蓋により異物や塵埃のコネクタ収容室への侵入が防止されている。
従来、このような開閉蓋として、開閉蓋を弾力性を有するエラストマーなどの弾性材料で構成することで、開閉蓋の部分をヒンジとして屈曲させるように構成したものが提供されている（特許文献１、２参照）。
【特許文献１】特開２００５−１８４６６９号公報
【特許文献２】特開平８−２７９９４０号公報
【発明の開示】
【発明が解決しようとする課題】
【０００３】
しかしながら、開閉蓋が弾性材料で形成されていると、電子機器の筐体を形成する合成樹脂や金属などの材料と材質が異なるため、外観性を高める上で不利があった。
また、開閉蓋の部分をヒンジとして屈曲させるため、開閉蓋が弾性力によって常時閉塞方向に付勢されていることから、コネクタの装脱時には開閉蓋を大きく開放した状態に保持する必要があり、コネクタの装脱時の操作性が低下する不利があり、また、ヒンジとして機能させる開閉蓋の部分をコネクタ収容室近傍の角部に配置せざるを得ず、コネクタ収容室のレイアウトも制約を受ける不具合があった。
本発明はこのような事情に鑑みなされたものであり、本発明の目的は、外観性を高めつつ、操作性の向上を図れ、さらにはコネクタ収容室のレイアウト上も有利な電子機器を提供することにある。
【課題を解決するための手段】
【０００４】
上述の目的を達成するため、本発明は、筐体と、前記筐体に設けられコネクタが装脱されるコネクタ収容室と、前記筐体で支持された支軸を支点に揺動し前記コネクタ収容室を開閉する開閉蓋とを備える電子機器であって、前記支軸は、その長手方向の両端に位置する第１の軸部と、それら第１の軸部の間に設けられ前記第１の軸部の延在方向と直交する方向に離間しかつ前記第１の軸部と平行に延在する第２の軸部とを有し、前記第１の軸部は前記筐体で回転可能に支持され、前記開閉蓋は前記第２の軸部に回転可能に結合されていることを特徴とする。
【発明の効果】
【０００５】
本発明によれば、開放時に第２の軸部を筐体から離れる方向に回転移動させることで開閉蓋がコネクタ収容室から大きく離れた開放状態を形成することができ、コネクタの挿脱を簡単に行なう上で有利となる。
また、開閉蓋を筐体と同一の材料であるいは似たような材料で形成でき、外観性を高める上で有利となり、また、コネクタ収容室のレイアウト上も有利となる。
【発明を実施するための最良の形態】
【０００６】
（第１の実施の形態）
次に本発明の第１の実施の形態について図面を参照して説明する。
本実施の形態では、電子機器が撮像装置で構成されている場合について説明する。
図１は第１の実施の形態の撮像装置１０を前方から見た斜視図、図２（Ａ）は撮像装置１０を後方から見た斜視図、（Ｂ）は撮像装置１０にコネクタが装着された状態を示す斜視図、図３は撮像装置１０の構成を示すブロック図である。
図１に示すように、本実施の形態の撮像装置１０はデジタルスチルカメラであり、外装を構成する薄板状の筐体１２を有している。
筐体１２は、前後方向の厚さよりも大きな寸法の上下方向の高さと、上下方向の高さよりも大きな寸法の左右方向の幅を有している。
なお、本明細書において左右は、撮像装置１０を前方から見た状態でいうものとし、また、光学系の光軸方向で被写体側を前方といい、撮像素子側を後方という。
図１に示すように、筐体１２の前面右側部寄りの箇所には撮影光学系１４を収容保持する沈胴式の鏡筒１６が設けられている。
鏡筒１４は筐体１２の内部に組み込まれた駆動部１０８（図３参照）によって、図１に示すように、筐体１２の前面から前方に突出した使用位置（広角状態、望遠状態、および広角乃至望遠の中間状態）と、筐体１２に収容された収容位置（沈胴状態）との間を出没するように構成されている。
筐体１２の前面には、被写体に閃光を照射するフラッシュライト１６、オートフォーカス用の補助光およびセルフタイマーの動作状態を示す光を照射するＬＥＤランプ１８、光学式ビューファインダー装置を構成する対物レンズ２０が設けられている。
筐体１２の上端面には、シャッタボタン２２、ズームレバー２４、電源スイッチ２６、マイクロフォン２８が設けられている。
【０００７】
図２（Ａ）に示すように、筐体１２の後面には、撮像した映像や各種メニュー画面などを表示するディスプレイ３０、光学式ビューファインダー装置を構成する接眼窓３２、撮影モード、再生モードなどを切り換えるための操作ダイアル３４、撮影にまつわる種々の設定やメニュー画面の切り換えなどを行なうための十字操作ボタン３６、メニュー画面呼び出しなどの各種の操作を行うための複数の操作スイッチ３８、スピーカー４０が設けられている。
また、筐体１２の左側面の上部には、図２（Ａ）、（Ｂ）に示すように、撮像装置１０の外部に設けられた外部機器（不図示）の外部コネクタＣＮが装脱されるコネクタ収容室４２が設けられている。本実施の形態では、外部機器が電源アダプタである場合について説明する。
コネクタ収容室４２の奥部には外部コネクタＣＮと電気的に接続される内部コネクタ１１４（図３参照）が設けられている。
【０００８】
図３に示すように、撮像装置１０は、鏡筒１６の後端部分に配設され撮影光学系１４によって結像された被写体像を撮像するＣＣＤやＣＭＯＳセンサなどで構成された撮像素子１０２、該撮像素子１０２から出力された撮像信号に基づいて画像データを生成し、メモリカードなどの記憶媒体１１２に記録する画像処理部１０４、前記画像データをディスプレイ３０に表示させる表示制御部１０６、鏡筒１６の出没動作、ズーミング動作などを行う駆動部１０８、上述したシャッタボタン２２、ズームレバー２４、操作ダイアル３４、十字操作ボタン３６、操作スイッチ３８の操作に応じて画像処理部１０４、表示制御部１０６、駆動部１０８を制御するＣＰＵを含む制御部１１０などを備えている。
また、撮像装置１０には、外部コネクタＣＮから内部コネクタ１１４を介して入力される直流電源を所定の電圧および電流に調整し、撮像素子１０２、画像処理部１０４、表示制御部１０６、駆動部１０８、制御部１１０などに供給する電源部１１６が設けられている。
【０００９】
図４、図５は開閉蓋４６の取り付け構造を示す分解斜視図、図６（Ａ）は開閉蓋４６の閉塞状態を示す斜視図、（Ｂ）は開閉蓋４６の開放状態を示す斜視図、図７は開閉蓋４６の閉塞状態と第１の開放状態を示す図、図８は開閉蓋４６の閉塞状態と第２の開放状態を示す図である。
コネクタ収容室４２は、筐体１２で支持された支軸４４を支点に揺動する開閉蓋４６により開閉され、次にこの開閉構造について説明する。
図４、図６、図７、図８に示すように、筐体１２の左側面の箇所に、コネクタ収容室４２の周囲に延在する外方に開放状の凹部４８が設けられ、凹部４８は、底壁４８０２と、底壁４８０２の周囲から起立する側壁４８０４とを備えている。
コネクタ収容室４２の下方に位置する底壁４８０２の両側箇所には、それぞれ溝状の軸受部５０が設けられ、さらに両軸受部５０の間に位置する底壁４８０２箇所には開閉蓋４６の基部が収容される基部収容用凹部４８０６が設けられている。
また、コネクタ収容室４２の前後に位置する底壁４８０２箇所には、それぞれ係合凹部４８０８が設けられている。
また、コネクタ収容室４２の上方に位置する側壁４８０４の先部には、指掛け用の凹部４８１０が設けられている。
さらに、図７、図８に示すように、コネクタ収容室４２の下方に位置する側壁４８０４の先部には、筐体側突起５２が設けられている。
筐体側突起５２が凹部４８に臨む面には、案内面５２０２が形成されている。
【００１０】
図４、図５に示すように、支軸４４は、その長手方向の両端に位置する第１の軸部４４０２と、それら第１の軸部４４０２の間に設けられ第１の軸部４４０２の延在方向と直交する方向に離間しかつ第１の軸部４４０２と平行に延在する第２の軸部４４０４とを有している。
支軸４４は、その両端の第１の軸部４４０２が軸受部５０に回転可能に装着されることで配設されている。
また、図７に示すように、第２の軸部４４０４は、第１の軸部４４０２よりもコネクタ収容室４２から離れかつ凹部４８の底壁４８０２に近接した第１の位置（イ）に位置できるように配設され、また、図８に示すように、第２の軸部４４０４は、凹部４８の底壁４８０２から最も離れた第２の位置（ロ）に位置できるように配設されている。
【００１１】
開閉蓋４６は、凹部４８の輪郭に対応した形状の矩形に形成され、開閉蓋４６によりコネクタ収容室４２を閉塞する際に同時に凹部４８も閉塞するようにしている。
図７、図８に示すように、開閉蓋４６は、凹部４８とともにコネクタ収容室４２を閉塞した際に凹部４８の底壁４８０２に臨む裏面４６０２と外部に臨む表面４６０４とを有している。
図５に示すように、裏面４６０２の一側には、第２の軸部４４０４が回転可能に装着される溝状の軸受部５４が設けられ、開閉蓋４６はこの軸受部５４に第２の軸部４４０４が回転可能に装着されることで筐体１２に配設されている。
図７、図８に示すように、開閉蓋４６は、第２の軸部４４０４により支持される箇所が基部４６１０となり、基部４６１０から最も離れた箇所が自由端４６１２となり、自由端４６１２に位置する表面４６０４の箇所には指掛け用の突起４６０６が設けられ、この突起４６０６は、開閉蓋４６でコネクタ収容室４２を閉塞した際に、指掛け用の凹部４８１０に臨む箇所に位置する。
また、図５に示すように、裏面４６０２の両側箇所には、係合凹部４８０８に係脱する係合凸部４６０８が設けられている。
さらに、自由端４６１２と反対に位置する基部４６１０の端部には、案内面５２０２に係合可能な開閉蓋側突起５６が設けられている。
【００１２】
開閉蓋４６は、第２の軸部４４０４が第１の位置（イ）に位置した状態で第２の軸部４４０４を支点として自由端４６１２が揺動することで図７に示すように凹部４８とともにコネクタ収容室４２を開閉するように設けられ、凹部４８とともにコネクタ収容室４２を閉塞した状態で、係合凹部４８０８に係合凸部４６０８が係合し、開閉蓋４６によるコネクタ収容室４２の閉塞状態が形成されるように構成されている。
この閉塞状態で、開閉蓋側突起５６は筐体側突起５２の内側に位置し、言い換えると、開閉蓋側突起５６は筐体側突起５２で覆われ、したがって、凹部４８内に位置する支点を中心に開閉蓋４６が揺動するにも拘わらず、開閉蓋４６と凹部４８との間に大きな隙間を生じることなくコネクタ収容室４２の閉塞状態が形成される。
また、この閉塞状態で、図６（Ａ）に示すように、開閉蓋４６の表面４６０４と筐体１２の左側面とが同一面上に位置する。
また、図７に示すように、コネクタ収容室４２が閉塞される際に、開閉蓋側突起５６が案内面５２０２により閉じる方向に案内され、開閉蓋４６の閉塞動が円滑に行なわれるように図られる。
【００１３】
また、図７に示すように、第２の軸部４４０４が第１の位置（イ）に位置した状態で開閉蓋４６がコネクタ収容室４２から離れる方向に開き、開閉蓋４６が底壁４８０２に対して直交する方向に延在する第１の開放状態（ハ）が形成される。
また、開閉蓋４６を引き出すと第２の軸部４４０４は第１の軸部４４０２を中心に回転し、図８に示すように、第２の軸部４４０４は第２の位置（ロ）に位置し、この状態で開閉蓋４６を第１の開放状態（ハ）よりもコネクタ収容室４２から離れる方向に大きく開かせることができ、図８に想像線で示すように、筐体１２の左側面上に倒れた第２の開放状態（ニ）が形成される。
【００１４】
次に作用効果について説明する。
第２の軸部４４０４が第１の位置（イ）に位置した状態で、開閉蓋４６の揺動によりコネクタ収容室４２の開閉がなされる。
そして、コネクタ収容室４２の閉塞状態で、開閉蓋側突起５６が筐体側突起５２で覆われ、したがって、凹部４８の全周にわたり開閉蓋４６により凹部４８が隙間無く閉塞され、これによりコネクタ収容室４２が閉塞されることになる。また、開閉蓋４６の表面４６０４と筐体１２の左側面とが同一平面上に位置し、外観性を高める上で有利となる。
また、コネクタ収容室４２の開放状態で、開閉蓋４６はコネクタ収容室４２から離れ、コネクタ収容室４２での外部コネクタＣＮの装脱が支障なく行なわれる。
また、コネクタ収容室４２が閉塞される際に、開閉蓋側突起５６が案内面５２０２により閉じる方向に案内されるので、第２の軸部４４０４が第１の位置（イ）と第２の位置（ロ）との間で移動できるにも拘わらず、開閉蓋４６の閉塞動を円滑に確実に行う上で有利となる。
また、開放時に開閉蓋４６を底壁４８０２から離れる方向に引っ張ると、第２の軸部４４０４は第１の位置（イ）から第２の位置（ロ）に移動し、この状態で開閉蓋４６を開放方向に揺動させることで、コネクタ収容室４２から大きく離れた第２の開放状態（ニ）が形成される。したがって、開閉蓋４６を第２の開放状態（ニ）にすると、コネクタ収容室４２での外部コネクタＣＮの装脱をより円滑に行なう上で有利となる。
さらに、このように開閉蓋４６を揺動させることでコネクタ収容室４２を開閉するので、開閉蓋４６をエラストマーなどの弾性材料で形成する必要がなく、開閉蓋４６を筐体１２と同一の材料であるいは似たような材料で形成でき、外観性を高める上で有利となり、また、開閉蓋の部分をコネクタ収容室近傍の角部に配置する必要がなくなり、コネクタ収容室４２のレイアウト上も有利となる。
【００１５】
次に、直線状に延在する支軸４４を用いた図９の比較例を参照して本実施の形態の利点をさらに説明する。
図９（Ａ）に示す第１の比較例は、筐体１２に設けられた支軸４４に開閉蓋４６の軸受部５４が回転可能に装着されたものである。
この第１の比較例では、支軸４４が筐体１２の外面近傍に配置されているために、開閉蓋４６の軸受部５４が筐体１２の外方に突出してしまい、筐体１２の外観性が低下する不利がある。
これに比較して、本実施の形態では、コネクタ収容室４２の閉塞状態で、開閉蓋４６の表面４６０４と筐体１２の外面とが同一面に位置するため外観性を高める上で有利となる。
【００１６】
図９（Ｂ）に示す第２の比較例は、第１の比較例に比べて軸受部５４を筐体１２の内方寄りの箇所に配置したものである。
この第２の比較例では、軸受部５４が筐体１２の表面から突出しないが、軸受部５４と、軸受部５４に臨む筐体１２の縁部との隙間が大きくなるため、筐体１２の外観性が低下する不利がある。
これに比較して、本実施の形態では、コネクタ収容室４２の閉塞状態で、開閉蓋側突起５６が筐体側突起５２で覆われ、凹部４８の全周にわたり開閉蓋４６により隙間無く閉塞されるため、外観性を高める上で有利となる。
【００１７】
図９（Ｃ）に示す第３の比較例は、支軸４４が挿通される軸受部５４の孔を長孔５４０１とすることで、開閉蓋４６を長孔５４０１の延在方向に沿ってスライドさせつつ開閉蓋４６の開閉を行なうものである。
この第３の比較例では、軸受部５４が筐体１２の表面から突出せず、開閉蓋５４と筐体１２の縁部との隙間も小さくできるが、開閉時に開閉蓋４６をスライドさせなくてはならないことから操作が繁雑であり、また、開閉蓋４６をスライド可能とすることからその配置場所が角部を含む筐体１２の箇所に限定されコネクタ収容室４２の設計の自由度を確保する上で不利がある。
これに比較して、本実施の形態では、開閉蓋４６を揺動させる構成であるため、開閉時の操作性を高める上で有利であり、また、コネクタ収容室４２の配置場所の制約がなく設計の自由度を高める上で有利となる。
【００１８】
また、本実施の形態では、電子機器として撮像装置であるデジタルスチルカメラを用いて説明したが、本発明は、ビデオカメラ、その他種々の撮像装置、あるいは、携帯電話機、ＰＤＡ（パーソナルデジタルアシスタント）やノートパソコンなどのコネクタ収容室を備える電子機器に広く適用可能である。
【図面の簡単な説明】
【００１９】
【図１】第１の実施の形態の撮像装置１０を前方から見た斜視図である。
【図２】（Ａ）は撮像装置１０を後方から見た斜視図、（Ｂ）は撮像装置１０にコネクタが装着された状態を示す斜視図である。
【図３】撮像装置１０の構成を示すブロック図である。
【図４】開閉蓋４６の取り付け構造を示す分解斜視図である。
【図５】開閉蓋４６の取り付け構造を示す分解斜視図である。
【図６】（Ａ）は開閉蓋４６の閉塞状態を示す斜視図、（Ｂ）は開閉蓋４６の開放状態を示す斜視図である。
【図７】開閉蓋４６の閉塞状態と第１の開放状態を示す図である。
【図８】開閉蓋４６の閉塞状態と第２の開放状態を示す図である。
【図９】（Ａ）は第１の比較例を示す図、（Ｂ）は第２の比較例を示す図、（Ｃ）は第３の比較例を示す図である。
【符号の説明】
【００２０】
１０……撮像装置、１２……筐体、４２……コネクタ収容室、４４……支軸、４４０２……第１の軸部、４４０４……第２の軸部、４６……開閉蓋。
【図１】
2007212487.tif 000003
【図２】
2007212487.tif 000004
【図３】
2007212487.tif 000005
【図４】
2007212487.tif 000006
【図５】
2007212487.tif 000007
【図６】
2007212487.tif 000008
【図７】
2007212487.tif 000009
【図８】
2007212487.tif 000010
【図９】
2007212487.tif 000011